(57)【特許請求の範囲】
【請求項１】
異種混合電気通信ネットワークにおいて、攻撃者ノード（１０９、２０１）および被害者ノード（１０１、２０９）間のＤＬ−ＵＬ干渉を軽減する方法であって、それぞれのノードが、複数の周波数リソースを使用して全二重通信を提供しＵＥのペアにサービスするために、同時に同一周波数帯を使用して送信および受信するように動作可能であり、前記方法は、
前記被害者ノード（１０１、２０９）が、前記複数の周波数リソースのうち選択された１つを用いて、ＵＥのペア（１０３、１０５；２１１、２１５）との全二重通信をスケジュールしようとしていることを表すデータを含む干渉指標メッセージＩＩＭ（３０３）を、前記被害者ノード（１０１、２０９）から前記攻撃者ノード（１０９、２０１）に送信するステップを含み、
前記攻撃者ノード（１０９、２０１）は、前記ＩＩＭメッセージ（３０３）に基づいて、送信電力を減少させ、もしくは選択された前記周波数リソースで前記攻撃者ノード（１０９、２０１）によってサービスされる、スケジュールされたＵＥのペア（１１１、１１５；２０３、２０５）への送信を所定の期間中止するように動作可能であり、または、スケジューリング情報およびスケジュールされるべきデータ（１１９、２１９）を前記被害者ノード（１０１、２０９）と共有し、それにより前記攻撃者ノード（１０９、２０１）によって発生されるＤＬ−ＵＬ干渉に対する干渉除去を可能にするように動作可能である方法。
【請求項２】
前記被害者ノード（１０１、２０９）において、前記スケジューリング情報およびスケジュールされるべきデータ（１１９、２１９）を使用して、選択された前記周波数リソースにおける該被害者ノード（１０１、２０９）と前記攻撃者ノード（１０９、２０１）との間のチャネル推定を実行するステップをさらに含む、請求項１に記載の方法。
【請求項３】
前記スケジューリング情報およびスケジュールされるべきデータ（１１９、２１９）は、前記ノード間の無線または有線接続を使用して、前記攻撃者ノード（１０９、２０１）から前記被害者ノード（１０１、２０９）へ送信される、請求項１または２に記載の方法。
【請求項４】
前記攻撃者ノード（１０９、２０１）は、
スケジューリング情報およびスケジュールされるべきデータ（１１９、２１９）を前記被害者ノード（１０１、２０９）と共有し、それにより前記攻撃者ノード（１０９、２０１）によって発生されるＤＬ−ＵＬ干渉に対する干渉除去を可能にし、且つ、
前記被害者ノード（１０１、２０９）から送信される前記ＩＩＭメッセージ（３０３）の受信に、前記干渉除去を実行して前記ＤＬ−ＵＬ干渉を除去するための該被害者ノード（１０１、２０９）に対する要求を含む干渉除去使用要求メッセージ（３０５）で応答する、
ように動作可能である、請求項１乃至３のいずれか１項に記載の方法。
【請求項５】
前記被害者ノード（１０１、２０９）において、前記複数の周波数リソースのそれぞれの周波数リソースにおける受信電力を測定して、受け入れ可能な周波数リソースの存在を判定するステップと、前記判定に基づいて、前記受け入れ可能な周波数リソースで、ＵＥのペアとの全二重通信をスケジューリングするステップと、をさらに含む、請求項１乃至４のいずれか１項に記載の方法。
【請求項６】
前記リソースについて測定された受信電力を表す測定値が所定の閾値よりも低い周波数リソース、または、前記ペアのＵＥについてのＳＩＮＲが閾値よりも大きい周波数リソースとして、受け入れ可能な周波数リソースが決定される、請求項５に記載の方法。
【請求項７】
干渉除去を可能にする前記スケジューリング情報およびスケジュールされるべきデータを用いて、前記ノード間の前記チャネルを推定するステップをさらに含む、請求項１乃至６のいずれか１項に記載の方法。
【請求項８】
攻撃者ノード（１０９、２０１、４０１、５０１）の複数のアンテナ素子のうち選択されたアンテナ素子を使用して、前記被害者ノード（１０１、２０９、４０５、５０５）上の前記ＵＬ送信の干渉の影響を軽減するための、前記ノードのＤＬ送信プロファイルを修正するステップをさらに含む、請求項１乃至７のいずれか１項に記載の方法。
【請求項９】
攻撃者ノード（１０９、２０１）および被害者ノード（１０１、２０９）を含む異種混合電気通信ネットワークであって、それぞれのノードが、複数の周波数リソースを使用して全二重通信を提供しＵＥのペアにサービスするために、同時に同一周波数帯を使用して送信および受信するように動作可能であり、
前記被害者ノード（１０１、２０９）は、干渉指標メッセージＩＩＭ（３０３）を前記攻撃者ノード（１０９、２０１）に送信するように動作可能であり、前記メッセージは、前記被害者ノード（１０１、２０９）が、前記複数の周波数リソースのうち選択された１つを用いて、ＵＥのペア（１０３、１０５；２１１、２１５）との全二重通信をスケジュールしようとしていることを表すデータを含み、
前記攻撃者ノード（１０９、２０１）は、前記ＩＩＭメッセージ（３０３）に基づいて、送信電力を減少させ、もしくは選択された前記周波数リソースで前記攻撃者ノード（１０９、２０１）によってサービスされる、スケジュールされたＵＥのペア（１１１、１１５；２０３、２０５）への送信を所定の期間中止するように動作可能であり、または、スケジューリング情報およびスケジュールされるべきデータを前記被害者ノード（１０１、２０９）と共有するように動作可能であり、
前記被害者ノード（１０１、２０９）は、前記スケジューリング情報およびスケジュールされるべきデータ（１１９、２１９）を使用して、前記攻撃者ノード（１０９、２０１）によって発生されるＤＬ−ＵＬ干渉に対する干渉除去を可能にするように動作可能である、ネットワーク。
【請求項１０】
前記被害者ノード（１０１、２０９）は、前記被害者ノード（１０１、２０９）において前記スケジューリング情報およびスケジュールされるべきデータ（１１９、２１９）を使用して、選択された前記周波数リソースにおける該被害者ノード（１０１、２０９）と前記攻撃者ノード（１０９、２０１）との間のチャネル推定を実行するように動作可能である、請求項９に記載のネットワーク。
【請求項１１】
前記スケジューリング情報およびスケジュールされるべきデータ（１１９、２１９）が、前記ノード間の無線または有線接続を使用して、前記攻撃者ノード（１０９、２０１）から前記被害者ノード（１０１、２０９）へ送信される、請求項９または１０に記載のネットワーク。
【請求項１２】
前記被害者ノード（１０１、２０９）は、前記複数の周波数リソースのそれぞれの周波数リソースにおける受信電力を測定して、受け入れ可能な周波数リソースの存在を判定するように動作可能であり、前記判定に基づいて、前記受け入れ可能な周波数リソースで、半二重ＵＥのペアとの全二重通信をスケジューリングする、請求項９乃至１１のいずれか１項に記載のネットワーク。
【請求項１３】
複数の周波数リソースを使用して全二重通信を提供しＵＥのペアにサービスするために、同時に同一周波数帯を使用して送信および受信するように動作可能な、異種混合電気通信ネットワークにおける全二重対応ノード（１０１、２０９）であって、
前記ノードが、前記複数の周波数リソースのうち選択された１つを用いて、ＵＥのペア（１０３、１０５；２１１、２１５）との全二重通信をスケジュールしようとしていることを表すデータを含む干渉指標メッセージＩＩＭ（３０３）を、前記ネットワークの攻撃者ノード（１０９、２０１）に送信するように動作可能であり、
前記攻撃者ノード（１０９、２０１）によって発生されるＤＬ−ＵＬ干渉に対する干渉除去を可能にするように、スケジューリング情報およびスケジュールされるべきデータを前記攻撃者ノード（１０９、２０１）から受信するように動作可能である、ノード（１０１、２０９）。
【請求項１４】
複数の周波数リソースを使用して全二重通信を提供し、ＵＥのペアにサービスするために、同時に同一周波数帯を使用して送信および受信するように動作可能な、異種混合電気通信ネットワークにおける全二重対応ノードであって、
前記ネットワークの被害者ノード（１０１、２０９）が、前記複数の周波数リソースのうち選択された１つを用いて、ＵＥのペア（１０３、１０５；２１１、２１５）との全二重通信をスケジュールしようとしていることを表すデータを含む、干渉指標メッセージＩＩＭを受信するように動作可能であり、
送信電力を減少させ、もしくは選択された前記周波数リソースでスケジュールされたＵＥのペア（１１１、１１５；２０３、２０５）への送信を所定の期間中止するように動作可能であり、またはスケジューリング情報およびスケジュールされるべきデータ（１１９、２１９）を前記被害者ノード（１０１、２０９）に送信して、前記ノードによって発生されるＤＬ−ＵＬ干渉に対する干渉除去を可能にするように動作可能である、ノード。
【請求項１５】
コンピュータ可読プログラム・コードが含まれるコンピュータ使用可能媒体を含み、前記コンピュータ可読プログラム・コードが、請求項１乃至８のいずれか１項に記載の、攻撃者ノード（１０９、２０１）と被害者ノード（１０１、２０９）との間のＤＬ−ＵＬ干渉を軽減する方法の実装のために実行されるように適合された、コンピュータ・プログラム製品。
【発明の詳細な説明】
【技術分野】
【０００１】
本発明は、概して無線電気通信ネットワークの分野に関し、排他的ではなく、より詳細には、そのようなネットワーク内の全二重通信に関する。
【背景技術】
【０００２】
無線電気通信用スペクトルの有用な部分は限定されており、したがって、セルラ事業者が大量に費やしてきた高価な必需品である。その結果、セルラ事業者は出来る限り効率的にスペクトルを利用することに高い関心を持っている。
【０００３】
スペクトルの使用効率を上げるために使用可能な様々なアプローチがある。ある例は、トラフィックをオフロードするために使用可能な低出力無線アクセスノードであるスモールセル、多入力多出力（ＭＩＭＯ）アンテナ、および改善されたデータ符号化および変調技術である。
【０００４】
送信および受信に異なる周波数帯を使用することは、無線通信の開始初期から行われたとされ、あまり疑問視されていなかった。しかしながら、近年、同じ動作周波数帯で同時に信号をうまく受信および送信する技術が提案されてきた。周波数リソース割り当て方式は、同種のマクロ・セルラ・ネットワークで全二重通信を可能にすることができるが、全二重通信に起因して新たなタイプの物理層の干渉が持ち上がっている。それは、ダウンリンク（ＤＬ）送信とアップリンク（ＵＬ）送信との間のリンク間干渉であり、異種混合およびスモールセルのネットワークでは問題となり得る。
【発明の概要】
【課題を解決するための手段】
【０００５】
例によれば、異種混合電気通信ネットワークにおいて、攻撃者（ａｇｇｒｅｓｓｏｒ）全二重ノードおよび被害者（ｖｉｃｔｉｍ）全二重ノード間のＤＬ−ＵＬ干渉を軽減する方法であって、それぞれのノードが、複数の周波数リソースを使用して全二重通信において半二重ＵＥのペアにサービスするように動作可能な方法が提供される。方法は、被害者ノードが、複数の周波数リソースのうち選択された１つを用いて、半二重ＵＥのペアとの全二重通信をスケジュールしようとしていることを表すデータを含む干渉指標メッセージ（ＩＩＭ）を、被害者ノードから攻撃者ノードに送信するステップを含み、攻撃者ノードは、ＩＩＭメッセージに基づいて、送信電力を減少させ、もしくは選択された周波数リソースで攻撃者ノードによってサービスされる、スケジュールされた半二重ＵＥのペアへの送信を所定の期間中止するように動作可能であり、または、スケジューリング情報およびスケジュールされるべきデータを被害者ノードと共有し、それにより全二重攻撃者ノードによって発生されるＤＬ−ＵＬ干渉に対する干渉除去を可能にするように動作可能である。スケジューリング情報およびスケジュールされるべきデータは、被害者ノードにおいて、選択された周波数リソースにおけるチャネル・アクティビティを推定するために使用される。スケジューリング情報およびスケジュールされるべきデータは、ノード間の無線または有線接続を使用して、攻撃者ノードから被害者ノードへ送信される。攻撃者ノードは、被害者ノードから送信されるＩＩＭメッセージの受信に、干渉除去使用要求メッセージで応答するように動作可能である。被害者ノードにおいて、受け入れ可能な周波数リソースの存在を判定するために、複数の周波数リソースのそれぞれの周波数リソースにおける受信電力が測定され得る。判定に基づいて、受け入れ可能な周波数リソースで、半二重ＵＥのペアとの全二重通信がスケジューリングされ得る。リソースについて測定された受信電力を表す測定値が所定の閾値よりも低い周波数リソース、または、ペアのＵＥについてのＳＩＮＲが閾値よりも大きい周波数リソースとして、受け入れ可能な周波数リソースが決定される。干渉除去を可能にするスケジューリング情報およびスケジュールされるべきデータを用いて、ノード間のチャネルが推定され得る。攻撃者ノードの複数のアンテナ素子のうち選択されたアンテナ素子は、被害者ノード上のＵＬ送信の干渉の影響を軽減するための、ノードのＤＬ送信プロファイルを修正するために使用され得る。
【０００６】
例によれば、攻撃者全二重ノードおよび被害者全二重ノードを含み、それぞれのノードが、複数の周波数リソースを使用して全二重通信で半二重ＵＥのペアにサービスするように動作可能な異種混合電気通信ネットワークが提供される。被害者ノードは、干渉指標メッセージ（ＩＩＭ）を攻撃者ノードに送信するように動作可能であり、メッセージは、被害者ノードが、複数の周波数リソースのうち選択された１つを用いて、半二重ＵＥのペアとの全二重通信をスケジュールしようとしていることを表すデータを含み、攻撃者ノードは、ＩＩＭメッセージに基づいて、送信電力を減少させ、もしくは選択された周波数リソースで攻撃者ノードによってサービスされる、スケジュールされた半二重ＵＥのペアへの送信を所定の期間中止するように動作可能であり、または、スケジューリング情報およびスケジュールされるべきデータを被害者ノードと共有し、スケジューリング情報およびスケジュールされるべきデータを使用して、全二重攻撃者ノードによって発生されるＤＬ−ＵＬ干渉に対する干渉除去を可能にするように動作可能である。被害者ノードは、被害者ノードにおいてスケジューリング情報およびスケジュールされるべきデータを使用して、選択された周波数リソースにおけるチャネル・アクティビティを推定するように動作可能である。スケジューリング情報およびスケジュールされるべきデータが、ノード間の無線または有線接続を使用して、攻撃者ノードから被害者ノードへ送信され得る。被害者ノードは、複数の周波数リソースのそれぞれの周波数リソースにおける受信電力を測定して、受け入れ可能な周波数リソースの存在を判定し、判定に基づいて、受け入れ可能な周波数リソースで、半二重ＵＥのペアとの全二重通信をスケジューリングするように動作可能である。
【０００７】
例によれば、複数の周波数リソースを使用して全二重通信で半二重ＵＥのペアにサービスするための、異種混合電気通信ネットワークにおける全二重対応ノードが提供される。ノードは、複数の周波数リソースのうち選択された１つを用いて、半二重ＵＥのペアとの全二重通信をスケジュールしようとしていることを表すデータを含む干渉指標メッセージ（ＩＩＭ）を送信するように動作可能であり、攻撃者ノードによって発生されるＤＬ−ＵＬ干渉に対する干渉除去を可能にするように、スケジューリング情報およびスケジュールされるべきデータをネットワークの攻撃者ノードから受信するように動作可能である。
【０００８】
例によれば、複数の周波数リソースを使用して全二重通信で半二重ＵＥのペアにサービスするための、異種混合電気通信ネットワークにおける全二重対応ノードが提供される。ノードは、複数の周波数リソースのうち選択された１つを用いて、ネットワークの被害者ノードが半二重ＵＥのペアとの全二重通信をスケジュールしようとしていることを表すデータを含む、干渉指標メッセージ（ＩＩＭ）を受信するように動作可能であり、送信電力を減少させ、もしくは選択された周波数リソースでスケジュールされた半二重ＵＥのペアへの送信を所定の期間中止するように動作可能であり、またはスケジューリング情報およびスケジュールされるべきデータを被害者ノードに送信して、ノードによって発生されるＤＬ−ＵＬ干渉に対する干渉除去を可能にするように動作可能である。
【０００９】
例によれば、コンピュータ可読プログラム・コードが含まれるコンピュータ使用可能媒体を含み、コンピュータ可読プログラム・コードが、本明細書で提供される攻撃者全二重ノードと被害者全二重ノードとの間のＤＬ−ＵＬ干渉を軽減する方法の実装のために実行されるように適合された、コンピュータ・プログラム製品が提供される。
【００１０】
ここで添付図面を参照して、単に例として実施形態を説明する。
【図面の簡単な説明】
【００１１】
【図１】例による異種混合電気通信ネットワークの概略図である。
【図２】例による異種混合電気通信ネットワークの他の概略図である。
【図３】例による、被害者ノードと攻撃者ノードとの間のメッセージの流れの概略図である。
【図４】干渉軽減のためのビームフォーミングが示された、例による異種混合電気通信ネットワークの他の概略図である。
【図５】干渉軽減のためのビームフォーミングが示された、例による異種混合電気通信ネットワークの他の概略図である。
【発明を実施するための形態】
【００１２】
例としての実施形態は、当業者が本明細書で説明されるシステムおよびプロセスを具現化し実装可能にするため、以下で十分詳細に説明される。実施形態は、多くの代替形式で提供されることができ、本明細書で示される例に限定されるものと解釈されるべきでないと理解することが重要である。
【００１３】
したがって、実施形態は、多様な方法で修正され、多様な代替形式をとることができるが、その特定の実施形態が、図面に示され、例として以下で詳細に説明される。開示される特定の形式に限定する意図はない。むしろ、添付の特許請求の範囲内に入る全ての修正物、均等物、および代替物が含まれるべきである。例としての実施形態の要素は、該当する場合に図面および詳細な説明を通して同一の参照番号で一貫して示される。
【００１４】
実施形態を説明するために本明細書で使用される用語は、範囲を限定することを意図するものではない。冠詞「ａ」、「ａｎ」および「ｔｈｅ」は、それらが単一の指示物を有するという点で単数であるが、本明細書中の単数形の使用は、１つより多くの指示物の存在を排除するべきではない。言い換えると、単数形で参照される要素は、文脈から明らかにそうではないことが示されない限り、１つまたは複数であってもよい。「備える／含む（ｃｏｍｐｒｉｓｅｓ、ｃｏｍｐｒｉｓｉｎｇ、ｉｎｃｌｕｄｅｓ、および／またはｉｎｃｌｕｄｉｎｇ）」という語は、本明細書で使用される場合、述べられた特徴、品目、ステップ、動作、要素および／または構成要素の存在を特定するが、１つまたは複数の他の特徴、品目、ステップ、動作、要素、構成要素および／またはそれらの群の存在または追加を排除するものではないことが、さらに理解されるであろう。
【００１５】
他の方法で定義されない限り、本明細書で使用される全ての用語（技術用語および科学用語を含む）は、当技術分野における慣用的なものとして解釈されるべきである。常用の用語もまた、関連する技術分野において慣用的なものとして解釈されるべきであり、本明細書で明示的にそのように定義されない限り、理想的な意味または過度に形式的な意味にではなく解釈されるべきであることが、さらに理解されるであろう。
【００１６】
全二重無線送信は、ＵＥが使用するための利用可能な周波数スペクトルを潜在的に二重にすることが可能であり、無線ネットワークの容量を増加させるための１つのさらなる方法であり得る。これは、基地局ノードが、同時に同一周波数帯を使用して送信および受信することができるということを意味する。例によれば、モバイルＵＥで、基地局ノードにおいて全二重通信を可能にする、周波数再使用の方法が提案されている。このアプローチによって、標準的なＵＥとの後方互換性を維持しながら、全二重通信の利益を最大限に（同一の帯域幅で最大２倍の容量増加）、基地局単位で受けることが可能となる。
【００１７】
周波数リソースのセット、および利用可能な周波数リソースのセット上で全二重通信を使用する機能を有するセルまたはノードのセットがあると仮定すると、リンク間干渉は、あるセルに接続されたあるＵＥ（攻撃者ＵＥ／セル）のダウンリンク（ＤＬ）によって、別のセルに接続された別のＵＥ（被害者ＵＥ／セル）のアップリンク（ＵＬ）に対して発生され得る。例によれば、ＤＬからＵＬへの干渉は、干渉調整を用いて軽減され得る。より具体的には、攻撃者基地局とも呼ばれ得る所与のノードは、例えば、ＤＬにおいて高出力でセルエッジＵＥ（攻撃者ＵＥと呼ばれる）をスケジューリングし、このＵＥが、１つまたは複数の近隣ノード（被害者セルと呼ばれる）に近接し、またはその付近にあり、高度の干渉指標メッセージ（ＩＩＭ）をそのような潜在的な被害者セル・ノードに送信または提供することができる。干渉指標メッセージ（ＩＩＭ）は、被害者セル・ノードがＤＬからＵＬへの強い干渉を受ける可能性があるために、攻撃者ＵＥの付近にあるＵＥへのＵＬ送信をスケジューリングすることを控えるべきであることを示す。例では、そのようなＩＩＭメッセージは、攻撃者ノードによって使用されるべき周波数リソースおよびタイムフレームを示すことができる。
【００１８】
周波数リソースのセット、および利用可能な周波数リソースのセット上で全二重通信を使用する機能を有するセルのセットがあると仮定して、あるセル（攻撃者セル）のＤＬによって、別のセル（被害者セル）のＵＬに対して発生されるリンク間干渉を考えると、ＤＬからＵＬへの干渉は、以下を用いた例によって軽減され得る。
・干渉調整−ネットワーク負荷が低い（スケジューリング決定を通じてセル間干渉軽減をもたらすために利用可能な周波数リソースがいくつか存在する）場合
・干渉除去−ネットワーク負荷が高い（スケジューリング決定を通じてセル間干渉軽減をもたらすために利用可能な空いている周波数リソースがない）場合
【００１９】
例によると、ＤＬにおいてセルエッジＵＥをスケジューリングする所与のノード（参照ノードと呼ばれる）は、ＤＬでそのようなセルエッジＵＥに割り当てられ、ＩＩＭメッセージ内で指定された周波数リソースにおいて、高出力ＵＬ送信をスケジューリングすることを控えるべきであることを示す高度の干渉指標（ＩＩＭ）メッセージを、その近隣セル・ノードに送信することとなる。近隣セル・ノードが、ＩＩＭメッセージで指定された周波数リソースを使用することなく、ＵＬにおいてそれぞれのＵＥにサービスすることが可能である場合、ＤＬからＵＬへの干渉は、スケジューリング決定を通じてうまく軽減させることができる。
【００２０】
そうでない場合、関連する近隣ノードが、そのような周波数リソースを使用しようとしており、それが、干渉除去機能を用いて全ての関係するセルでＤＬおよびＵＬ送信の共存を可能にするのに都合がよいということを、参照ノードに通知することとなる。ＤＬ送信がＵＬ送信と干渉するため、干渉するデータは、２つのノード間のチャネル推定と併用してネットワーク内で共有されることができ、干渉は、既知の方法を用いて正確に除去され得る。
【００２１】
干渉除去機能が使用できるかどうかネゴシエーションし、ネゴシエーションが成功であった場合、関連する近隣セル・ノードは、参照ノードとの接続（例えば、コア・ネットワークまたはＸ２インターフェースを通じて）を確立し、そのスケジューリング情報およびスケジュールされるべきデータを参照ノードに送出することを開始する。参照ノードはまた、後のパイロット信号を用いて、干渉しているノードからチャネルを推定する。このようにして、参照ノード（ＩＩＭメッセージ内でもともと送信されたもの）において、確実な干渉除去が実行され得る。
【００２２】
図１は、例による異種混合電気通信ネットワークの概略図である。図１の例は、全二重ネットワークにおけるＤＬスモールセルからＵＬマクロセルへの干渉除去の、ある態様を概略的に示す。より具体的には、全二重マクロ・ノード１０１は、マクロセル１０７内の半二重ＵＥ１０３、１０５のペアにサービスするように動作可能である。全二重スモールセル・ノード１０９は、拡張領域を含み得るスモールセル１１５内の半二重ＵＥ１１１、１１３のペアにサービスするように動作可能である。図１の例では、ＵＥ１０５は、アップリンクでノード１０１と通信し、ＵＥ１０３は、ダウンリンクでノード１０１と通信する。同様に、ＵＥ１１３は、アップリンクでノード１０９と通信し、ＵＥ１１１は、ダウンリンクでノード１０９と通信する。したがって、ＤＬからＵＬへの干渉１１７がノード１０１において存在する可能性があり、よって、この意味で攻撃者ノードであるノード１０９からの送信の結果として、ノード１０１は被害者ノードである。例によると、ノード１０９は、スケジューリング情報およびスケジュールされるべきデータ１１９を被害者ノード１０１と共有することができ、それによって、全二重攻撃者ノード１０９によって発生されるＤＬからＵＬへの干渉に対する干渉除去を可能にすることができる。
【００２３】
図２は、例による異種混合電気通信ネットワークの概略図である。図２の例は、全二重ネットワークにおけるＤＬマクロセルからＵＬスモールセルへの干渉除去の、ある態様を概略的に示す。より具体的には、全二重マクロ・ノード２０１は、マクロセル２０７内の半二重ＵＥ２０３、２０５のペアにサービスするように動作可能である。全二重スモールセル・ノード２０９は、拡張領域を含み得るスモールセル２１５内の半二重ＵＥ２１１、２１３のペアにサービスするように動作可能である。図２の例では、ＵＥ２０５は、アップリンクでノード２０１と通信し、ＵＥ２０３は、ダウンリンクでノード２０１と通信する。同様に、ＵＥ２１３は、アップリンクでノード２０９と通信し、ＵＥ２１１は、ダウンリンクでノード２０９と通信する。したがって、ＤＬからＵＬへの干渉２１７がノード２０９において存在する可能性があり、よって、この意味で攻撃者ノードであるノード２０１からの送信の結果として、ノード２０９は被害者ノードである。例によると、ノード２０１は、スケジューリング情報およびスケジュールされるべきデータ２１９を被害者ノード２０９と共有することができ、それによって、全二重攻撃者ノード２０１によって発生されるＤＬからＵＬへの干渉に対する干渉除去を可能にすることができる。
【００２４】
例によると、攻撃者セルと被害者セルとの間の接続は、干渉除去のためのデータの移送に使用される。したがって、これは、例えばファイバもしくは無線リンク・バックホールを有する事業者配備セル、またはスケジューラが中央ユニットに位置する仮想ＲＡＮの遠隔無線ヘッドに特に適しているが、限定はされない。
【００２５】
例による干渉調整および干渉除去の手続きは、最大２倍の容量増加をもたらすことによって、異種混合およびスモールセルのネットワーク（例えば、マクロ・セルラ・ネットワークにおける場合、セルごとに２以上のＵＥを有する）のシステム・レベルにおいて、全二重通信の最大限の利益を実現する助けとなる。標準的な送受信機が使用され得るため、既存のＵＥとの後方互換性が提供される。
【００２６】
図１を参照すると、上述したように、全二重マクロセル・ノード１０１、全二重スモールセル・ノード１０９、ならびに２つの利用可能な周波数リソース、リソース１およびリソース２が存在する。全二重スモールセル・ノード１０９は、所与の周波数リソース、例えば周波数リソース１で、全二重のＵＥペア（１つはＤＬのＵＥ１１１および１つはＵＬのＵＥ１１３）にサービスしている。一方、全二重マクロセル・ノード１０１も、別の全二重のＵＥペア１０３、１０５にサービスしようとしている。この場合、図３を参照すると、全二重マクロセル・ノード１０１が、スケジューリング決定を実行するところであり、以下の手続きに従う。図３は、マクロセル・ノード１０１（被害者ノード）とスモールセル・ノード１０９（攻撃者ノード）との間のメッセージの流れの概略図である、
【００２７】
３０１で、全二重マクロセル・ノード１０１は、各周波数リソースで受信電力を測定する。いくつかの周波数リソースにおいて、測定した干渉が低い場合、全二重マクロセル・ノード１０１は、受け入れ可能な干渉を受ける周波数リソースで、その全二重ＵＥのペア１０３、１０５をスケジュールすることとなる（例えば、測定された受信電力が所定の閾値より低い、または達成可能なＵＥのＳＩＮＲが所定の閾値より大きい、など）。
【００２８】
図１の例では、全二重スモールセル・ノード１０９により周波数リソース１でスケジュールされた全二重ＵＥペア１１１、１１３によって発生される、ＤＬからＵＬへの干渉に起因して、全二重マクロセル・ノード１０１は、周波数リソース２よりも周波数リソース１で、より高い受信電力を測定することとなる。その結果、全二重マクロセル・ノード１０１は、その全二重ＵＥのペア１０３、１０５を、周波数リソース２に割り当てることができる。
【００２９】
全二重マクロセル・ノード１０１が、ＤＬからＵＬへの低い干渉を受ける周波数リソースを見つけられない場合（例えば、周波数リソース１および周波数リソース２が、全二重スモールセル・ノード１０９において占められていると仮定する）、全二重マクロセル・ノード１０１は、所与の周波数リソース、例えば、周波数リソース１において全二重ＵＥペアをスケジュールしようとすることを示す、ＩＩＭメッセージ３０３を全二重スモールセル・ノード１０９に対して発することとなる。
【００３０】
ＩＩＭメッセージを受信すると、全二重スモールセル・ノード１０９は、周波数リソース１に割り当てられる送信電力を減少させること、または、所与の時間の間、周波数リソース１上の送信を停止することによって、全二重マクロセル・ノード１０１と協調することを試みることができる（例えば、全二重スモールセル・ノード１０９は、周波数リソース１においてＶｏＩＰ  ＵＥをスケジュールすることができ、それは送信時間間隔ごとに送信する必要はない）。
【００３１】
全二重スモールセル・ノード１０９が、その高い負荷状況（またはそのＵＥの優先度）に起因して、周波数リソースのいずれも「犠牲にする」つもりがない場合、干渉除去使用要求メッセージ３０５で、全二重マクロセル・ノード１０１のＩＩＭメッセージに応答することとなる。このメッセージを送信することにより、全二重マクロセル・ノード１０１が干渉除去を実行して、全二重スモールセル・ノード１０９によって発生されるＤＬからＵＬへの干渉を除去することができるように、全二重スモールセル・ノード１０９は、マクロセル・ノード１０１と緊密に連携して、スケジューリング情報およびスケジュールされるべきデータ１１９を全二重マクロセル・ノード１０１に転送（３０６）することを試みる。例では、スケジューリング情報およびスケジュールされるべきデータを使用した、ノード間のチャネル推定が、受信電力および信号位相を推定することを含む。
【００３２】
干渉除去使用要求３０５の受信後、全二重マクロセル・ノード１０１が、そのような干渉除去を実行しようとする場合、スモールセル・ノード１０９にＩＣ使用応答ＡＣＫ３０７で返答することとなる。ＩＣ使用応答ＡＣＫ３０７では、接続確立に必要な情報およびこの動作のための他の何らかの関連情報（例えば、ＩＣが実行されるべき周波数リソース、およびＴＴＩがどれくらいであるか）が示される。全二重マクロセル・ノード１０１は、干渉除去の使用を回避することを決定してもよく（例えば、ＵＥ要件があまり厳しくない、両方のノード間に適切な接続がない、など）、よって、ＩＣ使用応答ＮＡＣＫ（図示せず）で応答することとなることに留意する。
【００３３】
干渉除去使用応答ＡＣＫ３０７を受信し、双方のノード１０１、１０９間の接続が確立されると、全二重スモールセル・ノード１０９は、そのスケジューリング情報およびスケジュールされるべきデータ１１９を全二重マクロセル・ノード１０１に転送することを開始し、全二重マクロセル・ノード１０１は、後のパイロット信号を使用して、干渉する全二重スモールセル・ノード１０９からチャネル推定を開始することができる（スモールセル・ノードは、干渉除去を必要とする指示された周波数リソースに関するデータを転送するだけである）。このようにして、全二重マクロセル・ノード１０１は、干渉除去を実行し、関係する周波数リソースにおけるＤＬからＵＬへの干渉を除去することができる。
【００３４】
図１および３を参照して上述した手続きは、図２のシナリオにも適用される。図２のシナリオでは、全二重マクロセル・ノード２０１が攻撃者セルであり、全二重スモールセル・ノード２０９が、被害者セルであって、ＩＩＭメッセージのトリガとなる。即ち、例による方法は、マクロセル・ノードとスモールセル・ノードとの間、およびその逆の「双方向」で機能する。
【００３５】
プロセスは、同じ法則を用いてセクタ化されたノードに適用され、そのようなノードにおける空間的再利用を増大させることができる。また、ノードは、ビームフォーミングを使用して、意図したＵＥに対してＤＬビームを向け、近隣ノードに対してＤＬからＵＬへの干渉を引き起こすことを回避することもできる。例えば、図４は、例による異種混合電気通信ネットワークの概略図である。図４では、スモールセル・ノード４０１が、複数のアンテナ素子を有するアンテナを含み、それぞれのアンテナ素子またはアンテナ素子群が、ノード４０１の送信プロファイルを修正するように選択され得る。図４の例で述べたように、ＵＥ４０３へのＤＬ送信が指向性プロファイルを有し、それによってノード４０５上のＵＬ送信の干渉の影響を軽減するように、選択されたアンテナ素子は、ノード４０１の送信プロファイルを修正するために用いられる。同様に、図５は、例による異種混合電気通信ネットワークの概略図である。図５では、マクロセル・ノード５０１が、複数のアンテナ素子を有するアンテナを含み、それぞれのアンテナ素子またはアンテナ素子群が、ノード５０１の送信プロファイルを修正するように選択され得る。図５の例で述べたように、ＵＥ５０３へのＤＬ送信が指向性プロファイルを有し、それによってノード５０５上のＵＬ送信の干渉の影響を軽減するように、選択されたアンテナ素子は、ノード５０１の送信プロファイルを修正するために用いられる。
【００３６】
いずれの場合でも、データが向けられ、ビームフォーミングが行われているＤＬのＵＥが、全二重攻撃者ノード（ビームフォーミングを行っているノード）と全二重被害者ノードとの間のラインにあるとき、ビームフォーミングを介した干渉軽減は機能せず、干渉除去が使用され得ることに留意する。これは、ビームフォーミングされたノードのアンテナ・ローブが、向かっているＵＥに到達するために、被害者ノードにも向けられることとなり、したがって干渉が増大するためである。
【００３７】
本発明は、他の特定の装置および／または方法で具現化され得る。説明した実施形態は、あらゆる点で限定的ではなく例示的なものとみなされるべきである。特に、本発明の範囲は、明細書中の説明および図面によってではなく、添付の特許請求の範囲によって示される。特許請求の範囲の均等の意味および範囲内に入る全ての変更は、それらの範囲内に包含されるべきである。本明細書で説明した方法およびシステムは、例えば、ＧＳＭ、ＬＴＥなどの様々なエア・インターフェース技術を用いて適用され、利用可能な周波数スペクトル全体またはスペクトルの一部に適用され得る。
【図１】
0006416930.tif 000002
【図２】
0006416930.tif 000003
【図３】
0006416930.tif 000004
【図４】
0006416930.tif 000005
【図５】
0006416930.tif 000006